(57)【特許請求の範囲】
【請求項１】
枠体（１）に空気吸込口（２）と空気吹出口（３）とを設け、空気吸込口（２）と空気吹出口（３）とを連絡する空気流路（４）を枠体（１）内に形成し、空気流路（４）内には空気流を作り出す送風ファン（５）を配置すると共に、
前記空気吸込口（２）には吸込パネル（６）と、その吸込パネル（６）の内側に配置されるフィルタ部材（７）とを着脱自在に取り付けた空気調和機において、
前記吸込パネル（６）は左右両端に一対の係止片（８）を設け、前記係止片（８）の側面には半球状もしくは円柱状の突起部（８ａ）を形成し、
前記枠体（１）の空気吸込口（２）の両側面には前記吸込パネル（６）の係止片（８）に対応する一対の係止溝（９）を設け、前記係止溝（９）は所定の間隔をあけて配置した２枚の平板で構成し、その平板の側面に係止孔（８ｂ）と、上方にガイド面（１１）を構成し、
前記吸込パネル（６）の前記係止片（８）が前記ガイド面（１１）に沿って案内されながら前記係止溝（９）に装着され、前記係止片（８）の両側面が前記係止溝（９）を構成する２枚の平板に挟まれた状態で、前記突起部（８ａ）と前記係止孔（９ａ）とが嵌合して、前記吸込パネル（６）を前記空気吸込口（２）の前方に取り付けると共に、
前記係止溝（９）の上方には前記吸込パネル（６）の裏面に向けてのびる回転規制部（１０）を設け、
前記吸込パネル（６）には係止片（８）に対して回転規制部（１０）とは反対位置に操作部（６ａ）を設け、
前記操作部（６ａ）を手前方向に引き出すときに前記係止片（８）の突起部（８ａ）を回転支点として吸込パネル（６）が回転して、吸込パネル（６）の裏面が回転規制部（１０）と接触し、回転規制部（１０）との接触部が支点となって回転するときに突起部（８ａ）と係止孔（９ａ）の嵌合が外れて、吸込パネル（６）を取り外すことを特徴とする空気調和機のパネル着脱構造。
【請求項２】
前記係止片（８）の突起部（８ａ）は係止片（８）の中心高さより上方に配置することを特徴とする請求項１記載の空気調和機のパネル着脱構造。
【請求項３】
前記係止片（８）は吸込パネル（６）の上部と下部の二個所に配置し、前記係止溝（９）は係止片（８）に対応する位置の上部と下部の二個所に配置し、
前記回転規制部（１０）は上部の係止溝（９）の上方に設け、前記操作部（６ａ）は下部の係止片（８ａ）より下方に設け、
吸込パネル（６）は操作部（６ａ）の操作によって上部の係止片（８）の突起部（８ａ）を支点として回転する力が発生し、下部の係止片（８）の突起部（８ａ）と係止溝（９）の係止孔（９ａ）との嵌合が外れ、
吸込パネル（６）は下部の係止片（８）が外れた後も上部の係止片（８）の突起部（８ａ）を支点に回転して裏面が回転規制部（１０）と接触し、回転規制部（１０）との接触部を支点に回転するときに上部の係止片（８）の突起部（８ａ）が係止溝（９）の係止孔（９ａ）から外れることを特徴とする請求項１又は２に記載の空気調和機のパネル着脱構造。
【請求項４】
前記空気吸込口（２）の上部に位置する係止溝（９）の上面と、下部に位置する係止溝（９）の下面に、前記ガイド面（１１）を形成したことを特徴とする請求項３記載の空気調和機のパネル着脱構造。
【発明の詳細な説明】
【技術分野】
【０００１】
この発明は、空気調和機の空気吸込口に取り付けるパネルの着脱構造に関するものである。
【背景技術】
【０００２】
空気調和機は枠体に空気吸込口と空気吹出口を備え、送風ファンによって空気吸込口から空気流路内に室内空気を吸込み、空気流路に配置した熱交換器を通過して除湿・冷却された調和空気を空気吹出口から吹き出すものであり、空気吸込口には吸込パネルと、吸込パネルの枠体内側にフィルタを取り付けており、フィルタによって空気流路内への埃やゴミの侵入を防いでいる。そして、フィルタに付着するゴミや埃の量が多くなって清掃が必要となったときは、吸込パネルを取外してフィルタを露出させ、フィルタを取外して汚れを落とした後、フィルタを再び装着して吸込パネルを取り付けることでフィルタの清掃が行われている。
【０００３】
フィルタは定期的に清掃を行う必要があるから、吸込パネルやフィルタは工具等を用いることなく容易に着脱できるようになっており、従来は吸込パネルと空気吸込口の上部と下部に係止部を形成し、係止部の嵌合によって吸込パネルを空気吸込口に取り付ける構造が一般的となっている（特許文献１参照）。
【特許文献１】特開平１０−１３２３２２号  公報
【発明の開示】
【発明が解決しようとする課題】
【０００４】
上記のように吸込パネルを係止部の嵌合によって取り付けるものでは、簡単に取外せる軽い嵌合では振動や衝撃で容易に外れて吸込パネルが脱落してしまい、一方、確実に嵌合する力では吸込パネルの着脱作業時に強い力が必要となる。
このため、吸込パネルが容易に脱落しない嵌合強さと、適度な力で着脱できる嵌合強さとのバランスを考慮して設計する必要があったが、そのポイントとなる嵌合強さの範囲が狭く、製造過程で生じる係止部の寸法誤差によって係止部の嵌合強さのばらつきが生じやすいため、正確な嵌合強さで作ることが難しく、寸法精度の要求が高くなってしまうためコストアップの原因となる。
【課題を解決するための手段】
【０００５】
この発明は上記の課題を解決するもので、枠体１に空気吸込口２と空気吹出口３とを設け、空気吸込口２と空気吹出口３とを連絡する空気流路４を枠体１内に形成し、空気流路４内には空気流を作り出す送風ファン５を配置すると共に、前記空気吸込口２には吸込パネル６と、その吸込パネル６の内側に配置されるフィルタ部材７とを着脱自在に取り付けた空気調和機において、前記吸込パネル６は左右両端に一対の係止片８を設け、前記係止片８の側面には半球状もしくは円柱状の突起部８ａを形成し、前記枠体１の空気吸込口２の両側面には前記吸込パネル６の係止片８に対応する一対の係止溝９を設け、前記係止溝９は所定の間隔をあけて配置した２枚の平板で構成し、その平板の側面に係止孔８ｂと、上方にガイド面１１を構成し、前記吸込パネル６の前記係止片８が前記ガイド面１１に沿って案内されながら前記係止溝９に装着され、前記係止片８の両側面が前記係止溝９を構成する２枚の平板に挟まれた状態で、前記突起部８ａと前記係止孔９ａとが嵌合して、前記吸込パネル６を前記空気吸込口２の前方に取り付けると共に、前記係止溝９の上方には前記吸込パネル６の裏面に向けてのびる回転規制部１０を設け、前記吸込パネル６には係止片８に対して回転規制部１０とは反対位置に操作部６ａを設け、前記操作部６ａを手前方向に引き出すときに前記係止片８の突起部８ａを回転支点として吸込パネル６が回転して、吸込パネル６の裏面が回転規制部１０と接触し、回転規制部１０との接触部が支点となって回転するときに突起部８ａと係止孔９ａの嵌合が外れて、吸込パネル６を取り外すことを特徴とするものである。
【０００６】
また、係止片８の突起部８ａは係止片８の中心高さより上方に配置したから、吸込パネル６を取外すために突起部８ａを支点として吸込パネル６を回転したときは、係止片８の先端位置が係止溝９の内壁面から離れる方向に移動し、係止片８が係止溝９と接触することなく吸込パネル６の操作部６ａの回転範囲を広く確保できる。
【０００７】
また、前記係止片８は吸込パネル６の上部と下部の二個所に配置し、前記係止溝９は係止片８に対応する位置の上部と下部の二個所に配置し、前記回転規制部１０は上部の係止溝９の上方に設け、前記操作部６ａは下部の係止片８ａより下方に設け、吸込パネル６は操作部６ａの操作によって上部の係止片８の突起部８ａを支点として回転する力が発生し、下部の係止片８の突起部８ａと係止溝９の係止孔９ａとの嵌合が外れ、吸込パネル６は下部の係止片８が外れた後も上部の係止片８の突起部８ａを支点に回転して裏面が回転規制部１０と接触し、回転規制部１０との接触部を支点に回転するときに上部の係止片８の突起部８ａが係止溝９の係止孔９ａから外れるから、吸込パネル６は上下二個所の係止片８と係止溝９の嵌合によって確実に保持できると共に、吸込パネル６を操作部６ａの操作煮よって取外すときは、下部の係止片８の突起部８ａと係止溝９の係止孔９ａとの嵌合が外れるときは上部の係止片８の突起部８ａが支点となり、上部の係止片８の突起部８ａと係止溝９の係止孔９ａの嵌合が外れるときは回転規制部１０との接触部が支点となるから、突起部８ａと係止孔９ａの嵌合を外す力はてこの働きで軽い力で外すことができる。
【０００８】
また、前記空気吸込口２の上部に位置する係止溝９の上面と、下部に位置する係止溝９の下面に、前記ガイド面１１を形成したから、吸込パネル６を取り付けるときは係止片８を係止溝９のガイド面１１に沿って装着することで、吸込パネル６を容易に取り付けができる。
【発明の効果】
【０００９】
この発明は、吸込パネル６の左右両端に一対の係止片８を形成し、空気吸込口２の両側面には吸込パネル６の係止片８と対応する位置に一対の係止溝９を設け、係止片８の側面に設けた突起部８ａと、係止溝９の側面に設けた突起部８ａとの嵌合によって吸込パネル６を空気吸込口２に取り付けることができる。
吸込パネル６を取外すときは、操作部６ａを持って吸込パネル６を係止片８の突起部８ａを支点に回転すると、吸込パネル６の裏面が係止溝９の上部に設けた回転規制部１０に接触し、回転規制部１０との接触部を支点に回転するときに係止片８の突起部８ａと係止溝９の係止孔９ａの嵌合が外れるものであり、突起部８ａと係止孔９ａの嵌合は吸込パネル６を確実に保持できる強さに設定しても、操作部６ａによって嵌合を外すときは回転規制部１０との接触部を支点とするてこの働きによって軽い力で外すことができ、吸込パネル６が容易に着脱できる構造を実現しながら、吸込パネル６が脱落するクレームを発生させることはなくなった。
【００１０】
また、係止片８の突起部８ａは、係止片８の中心高さよりも上方に位置するように形成しており、吸込パネル６が突起部８ａを支点に回転するときには、係止片８の先端位置が係止溝９の内壁面から離れるように回転するから、吸込パネル６の回転範囲を大きく確保でき、吸込パネル６の操作部６ａを空気吸込口２から離れた位置に大きく引き出すことができ、操作部６ａを確実に手で支えた状態で突起部８ａと係止孔９ａとの嵌合を外すことができ、着脱作業が容易に行なえるものとなった。
【００１１】
また、係止片８と係止溝９を上下二個所に配置し、吸込パネル６を上下二個所の係止片８と係止溝９の嵌合によって空気吸込口２に取り付けるときは、上部の係止溝９の上部に回転規制部１０を配置し、下部の係止片８の下方に吸込パネル６の操作部６ａを配置することによって、下部の係止片８の突起部８ａと係止溝９の係止孔９ａとの嵌合が外れるときは上部の係止片８の突起部８ａが支点となり、上部の係止片８の突起部８ａと係止溝９の係止孔９ａの嵌合が外れるときは回転規制部１０の接触部が支点となるから、係止片８と係止溝９を上下二個所に配置したときも、係止片８と係止溝９の嵌合はてこの働きによって軽い力で外すことができる。また、吸込パネル６を上下二個所で確実に保持することができるから、吸込パネル６が衝撃や振動で脱落することは全くなくなった。
【００１２】
また、係止片８は吸込パネル６の裏面に位置しているため、吸込パネル６の取り付け時に係止片８と係止溝９の位置が確認しにくいが、この発明では係止溝９に設けたガイド面１１に沿って係止片８を係止溝９に装着することで、係止片８を確実に係止溝９の位置に合わせることができるから、突起部８ａと係止孔９ａとの嵌合が容易にできるものとなり、吸込パネル６の取り付け時についても作業性が向上できた。
【発明を実施するための最良の形態】
【００１３】
図に示す実施例によってこの発明を説明すると、１は空気調和機の枠体、１２は枠体１内に配置した冷媒圧縮用の圧縮機、１３は圧縮機１２で圧縮された高温高圧のガス状冷媒が送られるコンデンサ、１４は図示しない減圧器で減圧された冷媒が送られるエバポレータであり、冷媒はエバポレータ１４に送られて気化し、冷媒の気化熱によって周囲を冷却する。エバポレータ１４で気化した冷媒ガスは圧縮機１２に戻され、圧縮機１２で再び加圧されてコンデンサ１３に送られて循環している。
【００１４】
図に示す実施例は除湿機とよばれる一体型の空気調和機であり、２は枠体１の前面に設けた空気吸込口、３は枠体１の上面に設けた空気吹出口、４は空気吸込口２と空気吹出口３を連通する枠体１内に設けた空気流路であり、空気流路４内にコンデンサ１３とエバポレータ１４が配置されている。５は空気流路４内に配置したコンデンサ１３とエバポレータ１４に送風する送風ファンであり、送風ファン５によって送風される風の上流側にエバポレータ１４が配置され、下流側にコンデンサ１３が配置されている。
【００１５】
送風ファン５を運転すると、空気吸込口２から空気流路４内に送られる空気がエバポレータ１４を通過するときに冷媒の気化熱によって冷却され、空気中に含まれる水分がエバポレータ１４の表面に結露して除湿される。そして、エバポレータ１４で除湿されて水分が除去された空気はコンデンサ１３に送られ、圧縮機２から送られる高温のガス状冷媒を冷却して液化させ、コンデンサ１３を通過した調和空気が空気吹出口３から室内に吹き出す。
【００１６】
１５は枠体１内のエバポレータ１４の下方に配置したドレン受け、１６は枠体１内の下部に配置したドレンタンクであり、エバポレータ１４の表面に結露したドレン水はドレン受け１５に落下し、ドレン受け１５に落下したドレン水はドレンタンク１６に溜まり、ドレンタンク１６が満量となったときは、ドレンタンク１６を枠体１内から取り出して捨て水する。
【００１７】
６は枠体１の空気吸込口２に取り付けた吸込パネル、７は吸込パネル６より枠体１内側に取り付けたフィルタであり、空気吸込口２から吸込まれる空気中に含まれるゴミや埃をフィルタ７で捕集して、空気流路４内のコンデンサ１３やエバポレータ１４へのゴミや埃の付着を防止しており、空気吹出口３からは汚れの少ない調和空気を吹き出すことができる。また、吸込パネル６とフィルタ７は着脱自在に取り付けられており、空気調和機を一定期間使用してフィルタ７にゴミや埃が堆積したときは、吸込パネル６を枠体１の空気吸込口２から外してフィルタ７を露出させ、露出したフィルタ７を取外してフィルタ７の清掃を行うことができる。
【００１８】
フィルタ７は定期的に清掃するものであるから、空気吸込口２に取り付けた吸込パネル６は容易に着脱できる構造が望ましいが、一方で振動や衝撃では容易に脱落しない構造にする必要がある。
このため従来は、吸込パネル６と空気吸込口２との間に係止部を設けて、この係止部の嵌合によって吸込パネルを取り付けることで、工具等を用いることなく簡単に着脱できる構造が一般的となっており、この従来構造では、着脱時の作業性と振動や衝撃による脱落防止のバランスを考慮して嵌合強さを設定する必要があるが、係止部の嵌合強さは製造過程でばらつきが生じやすいため、設定した嵌合強さの係止部を作ることが難しいものであった。
【００１９】
この発明は、吸込パネル６が振動や衝撃では容易に脱落しない構造にしながら、フィルタ７の清掃時には容易に着脱作業を行なうことのできる構造を実現するもので、８は吸込パネル６の裏面から枠体１側に向けて形成した係止片、８ａは係止片８の側面に形成した半球状の突起部であり、係止片８は内側面が互いに向かいあうように吸込パネル６の左右両端に一対となるように形成し、半球状の突起部８ａは係止片８の内側面に形成している。実施例では係止片８の内側面に半球状の突起部８ａを形成している、突起部８ａは係止片８の外側面に形成してもよく、また、突起部８ａの形状は半球状だけでなく円柱状に形成してもよい。
【００２０】
９は枠体１の空気吸込口２の開口部の側面に形成した係止溝であり、係止溝９は所定の間隔をあけて配置した２枚の平板によって構成しており、係止溝９は吸込パネル６の係止片８に対応する位置に左右一対となるように配置し、吸込パネル６の係止片８が係止溝９に装着できるようになっている。
９ａは係止片９の内側の板に形成した係止孔であり、係止片８を係止溝９に装着したときに突起部８ａが係止溝９の係止孔９ａに嵌合するようになっている。
【００２１】
係止片８と係止溝９は合成樹脂もしくは弾性部材で構成しており、吸込パネル６を空気吸込口２に取り付けるときは、係止片８を係止溝９に装着してから吸込パネル６を枠体１側に押し付けると、係止片８の突起部８ａが係止溝９を外側へ押し広げながら係止溝９内に移動し、突起部８ａが係止孔９ａと嵌合することで、吸込パネル６が空気吸込口２に取り付けられる。
【００２２】
係止溝９が係止片８の両側面を挟み込んだ状態で突起部８ａと係止孔９ａとが嵌合するから、突起部８ａと係止孔９ａとの嵌合が外れるためには係止溝９ａを押し広げる力が必要となり、突起部８ａと係止孔９ａの嵌合が衝撃や振動では容易に外れることはなく、吸込パネル６を確実に保持できる。
【００２３】
１０は係止溝９の上方に枠体１の前方側に突出して設けた回転規制部、６ａは吸込パネル６の係止片８を挟んで回転規制部１０と反対側の位置に設けた操作部であり、実施例では吸込パネル６の上部に係止片８を配置し、吸込パネル６の下端側に操作部６ａを配置している。
フィルタ７の清掃のために吸込パネル６を取外すときは、吸込パネル６の下端に設けた操作部６ａを手前側に引き出すことで吸込パネル６が係止片８の突起部８ａを支点に回転し、吸込パネル６の裏面が係止溝９の上方に設けた回転規制部１０に接触する。そして、吸込パネル６の裏面が回転規制部１０に接触した状態で更に操作部６ａを手前側に引き出すと、吸込パネル６が回転規制部１０との接触部を支点に回転し、このとき係止片８の突起部８ａと係止溝９の係止孔９ａとの嵌合が外れ、吸込パネル６を取外すことができる。
【００２４】
この発明では、回転規制部１０から操作部６ａまでの距離が回転規制部１０から係止片８までの距離に比べて長くなるように設定したから、操作部６ａを持って突起部８ａと係止孔９ａとの嵌合を外すときの力は、回転規制部１０との接触部を支点とする、てこの働きによって突起部８ａと係止孔９ａとの嵌合強さに対して非常に軽い力で外すことができるようになり、吸込パネル６が衝撃や振動で容易に脱落することがないように突起部８ａと係止孔９ａを確実に嵌合する構成にしても、着脱が容易にできる吸込パネル６の取り付け構造が実現できた。
【００２５】
また、この構成では、従来のように突起部８ａと係止孔９ａが嵌合する強さを嵌合を外すときの力に合わせる必要がなくなり、突起部８ａと係止孔９ａの嵌合強さは衝撃や振動に対して余裕を持たせて設計できるから、嵌合強さに多少のばらつきが生じても確実に吸込パネル６を保持でき、吸込パネル６が脱落するクレームが発生することはなくなった。
【００２６】
また、この発明では係止片８の突起部８ａの位置を係止片８の中心高さよりも上方側に形成したものであり、突起部８ａをこの高さに設けることで、吸込パネル６を取り外すために回転したときは、係止片８の先端位置が係止溝９の内壁面から離れるように回転する。
このため、吸込パネル６が回転したときに係止片８の先端位置が係止溝９に接触することなく、吸込パネル６の回転範囲を大きく確保でき、係止片８を吸込パネル６の上部に形成しているときは、図２に示すように吸込パネル６の裏面が回転規制部１０に接触する位置まで回転させたときに吸込パネル６の下部に設けた操作部６ａを空気吸込口２の前方に大きく引き出すことができるから、吸込パネル６の操作部６ａを確実に手で支えることができ、突起部８ａと係止孔９ａの嵌合を外すときに操作部６ａに力を加えやすく、作業性が向上できる。
【００２７】
また、図５は吸込パネル６の上部と下部の二個所に係止片８を備えた実施例であり、上部の係止片８は吸込パネル６の上端付近に配置し、下部の係止片８は吸込パネル６の中間位置に配置したものであり、対応する係止溝９も上部と下部の二個所に形成している。この構成では、吸込パネル６を空気吸込口２に取り付けたときは、上部と下部の係止片８の突起部８ａがそれぞれ対応する係止溝９の係止孔９ａと嵌合することで、吸込パネル６は上下二個所の嵌合部で保持されるから、確実に吸込パネル６の脱落を防止できる。
【００２８】
そしてこの実施例では、回転規制部１０を上部の係止片８の上方に配置し、吸込パネル６の操作部６ａを下部の係止片８より下方に配置したものであり、吸込パネル６を取外すときは、吸込パネル６の操作部６ａを手前側に引き出す操作によって上部の係止片８の突起部８ａが支点となって吸込パネル６が回転しようとする力が作用し、このとき下部の係止片８の突起部８ａと係止溝９の係止孔９ａとの嵌合が外れる。この下部の突起部８ａと係止孔９ａの嵌合が外れるときに支点となる上部の突起部８ａから操作部６ａまでの距離が上部の突起部８ａから下部の係止片８までの距離に比べて長くなるように設定したから、上部の係止片８の突起部８ａを支点とする、てこの働きによって、突起部８ａと係止孔９ａの嵌合する強さに対して操作部６ａでは軽い力で嵌合を外すことができる。
【００２９】
そして、下部の係止片８と係止溝９の嵌合が外れた後に、吸込パネル６の操作部６ａを更に手前側に引き出すと、吸込パネル６の裏面が上部の係止溝９の上方に設けた回転規制部１０に接触するので、吸込パネル６は回転規制部１０との接触部を支点として回転し、上部の係止片８と係止溝９の嵌合が外れる。この上部の嵌合についても回転規制部１０から操作部６ａまでの距離が回転規制部１０から上部の係止片８までの距離に比べて長くなっているから、回転規制部１０を支点とする、てこの働きによって、操作部６ａでは軽い力で外すことができ、係止片８と係止溝９を上部と下部の二個所に配置したときでも、吸込パネル６の着脱を容易に行うことができる。
【００３０】
また、１１は上部の係止溝９の上面と、下部の係止溝９の下面にそれぞれ形成したガイド面であり、上部の係止溝９のガイド面１１は図５のように回転規制部１０で兼用する構成にしてもよい。係止溝９にガイド面１１を設けることにより、吸込パネル６を取り付けるときは、下部の係止片８の下面を下部の係止溝９のガイド面１１の上面に接触させるか、上部の係止片８の上部を上部の係止溝９のガイド面１１の下面に接触させることで、吸込パネル６を正確な取り付け位置に容易に合わせることができる。
また、係止片８をガイド面１１に合わせるとこで、吸込パネル６の上下の移動が阻止されるから、吸込パネル６を取り付けるときに係止片８と係止溝９の位置が確認できなくても、係止片８の突起部８ａと係止溝９の係止孔９ａの高さ位置を容易に合わせることができ、吸込パネル６を容易に取り付けることができるものとなった。
【図面の簡単な説明】
【００３１】
【図１】この発明の実施例を示す空気調和機の縦断面図である。
【図２】図１に示す実施例の吸込パネルの取外し時の状態を説明する要部断面図である。
【図３】この発明の実施例を示す空気調和機の要部の横断面図である。
【図４】この発明の実施例を示す吸込パネルを取外した状態の要部正面図である。
【図５】この発明の他の実施例を示す要部縦断面図である。
【図６】図５に示す実施例の吸込パネルの取外し時の状態を説明する要部断面図である。
【符号の説明】
【００３２】
１    枠体
２    空気吸込口
３    空気吹出口
４    空気流路
５    送風ファン
６    吸込パネル
６ａ  操作部
７    フィルタ
８    係止片
８ａ  突起部
９    係止溝
９ａ  係止孔
１０    回転規制部
１１    ガイド面
【図１】
0005040462.tif 000002
【図２】
0005040462.tif 000003
【図３】
0005040462.tif 000004
【図４】
0005040462.tif 000005
【図５】
0005040462.tif 000006
【図６】
0005040462.tif 000007